【事件の表示】
　特許第３０７２６０５号「パチンコ機」の請求項１ないし４に係る特許に対する特許異議の申立てについて、次のとおり決定する。
【結　論】
　訂正を認める。
　特許第３０７２６０５号の請求項１ないし３に係る特許を取り消す。
【理　由】
１．手続の経緯
　特許第３０７２６０５号の請求項１ないし４に係る発明についての出願は、平成３年９月１１日に出願され、平成１２年６月２日にその発明について特許の設定登録がなされ、その後、その特許について、異議申立人細江裕実により特許異議の申立てがなされ、取消理由通知がなされ、その指定期間内である平成１３年８月２１日に訂正請求（後日取下げ）がなされた後、再度取消しの理由が通知され、その指定期間内である平成１５年８月８日に訂正請求がなされたものである。
　
２．訂正の適否についての判断
ア．訂正の内容
ａ．特許請求の範囲を、
「【請求項１】外枠に
対して、施錠装置を備える
　前記前面枠は、
上下横フレーム材と左縦フレーム材及び右縦フレーム材からなる
　
前記上横フレーム材の前面に設けた外部表示灯ユニットと、　前記下皿部より上方の前記左縦フレーム材及び右縦フレーム材の前面を覆い意匠を部分的に変更するための
空間部を有する
　前記
右縦フレーム材に対応する
内には、前記施錠装置が位置する
【請求項２】前記ハンドルセット
及び前記下皿セットは前記前面枠の下横フレーム材
【請求項３】
前記フレームは金属製である
ｂ．明細書の段落【０００４】を、
「【課題を解決するための手段】
本発明は、上記に鑑み提案されたもので、請求項１に記載した発明は、外枠に
対して、施錠装置を備える
上下横フレーム材と左縦フレーム材及び右縦フレーム材からなる
前記下皿部より上方の前記左縦フレーム材及び右縦フレーム材の前面を覆い意匠を部分的に変更するための
空間部を有する
右縦フレーム材に対応する
内には、前記施錠装置が位置する
　請求項２に記載した発明は、上記請求項１に記載の構成に加えて、ハンドルセット
及び前記下皿セットは前記前面枠の下横フレーム材
　請求項３に記載の発明は、上記請求項１または２に記載の構成に加えて、
フレームは金属製である
ｃ．明細書の段落【００６９】を、
「【発明の効果】
　以上要するに本発明は、外枠に
対して、施錠装置を備える
上下横フレーム材と左縦フレーム材及び右縦フレーム材からなる
前記上横フレーム材の前面に設けた外部表示灯ユニットと、前記下皿部より上方の前記左縦フレーム材及び右縦フレーム材の前面を覆い意匠を部金的に変更するための
空間部を有する
右縦フレーム材に対応する
内には、前記施錠装置が位置する
　
イ．訂正の目的の適否、新規事項の有無、及び拡張・変更の存否
　上記訂正事項ａは、請求項１において、特許明細書の【００１２】、【００２２】、【００６４】〜【００６６】、【００６９】、【図１】、【図４】、【図４２】、【図４３】、【図４４】の記載に基づいて、前面枠を、「施錠装置を備える前面枠」に限定するとともに、その構成を、「上下横フレーム材と左縦フレーム材及び右縦フレーム材からなるフレームと、前記上横フレーム材の前面に設けた外部表示灯ユニットと，前記下皿部より上方の前記左縦フレーム材及び右縦フレーム材の前面を覆い意匠を部分的に変更するための複数の合成樹脂製の飾り部材とからなり」と限定し、さらに、「空間部を有する飾り部材」のうち、「右縦フレーム部材に対応する飾り部材」を、「施錠装置が位置する空間部を有する飾り部材」に限定したものであり、請求項２は、請求項３の事項を繰り入れて、ハンドルセット及び前記下皿セットの両者の配置を特定し、請求項３は、請求項２の訂正により項番を繰り上げたものであるから、特許請求の範囲の減縮を目的とする明細書の訂正に該当する。
　上記訂正事項ｂ、ｃは、上記訂正事項ａにともなって、特許請求の範囲の記載と発明の詳細な説明の記載とを整合させるものであるから、明りょうでない記載の釈明を目的とした明細書の訂正に該当する。
　そして、上記訂正は願書に添付した明細書または図面に記載された事項の範囲を越えるものとは認められないから、新規事項の追加に該当せず、また特許請求の範囲を実質的に拡張または変更するものではない。
　
ウ．むすび
　以上のとおりであるから、上記訂正は、特許法第１２０条の４第３項において準用する平成６年法律第１１６号による改正前の特許法第１２６条第１項ただし書および第２項の規定に適合するので、当該訂正を認める。
　
３．特許異議の申立てについて
ア．申立の理由の概要
　申立人細江裕実は、請求項１ないし４に係る発明は、甲第１ないし１０号証に記載された発明に基づいて当業者が容易に発明をすることができたものであるから、請求項１ないし４に係る発明の特許は、特許法第２９条第２項の規定に違反してされたものであり、また、請求項１ないし４に係る発明の特許は、特許法第３６条第５項第２号の規定に違反してされたものであるから取り消されるべき旨主張している。
　
イ．本件発明
　上記２．で示したように上記訂正が認められるから、本件の請求項１ないし３に係る発明は、上記訂正に係る訂正請求書の特許請求の範囲の請求項 １ないし３に記載された次の事項による特定されるとおりのものである。
「【請求項１】外枠に
対して、施錠装置を備える
　前記前面枠は、
上下横フレーム材と左縦フレーム材及び右縦フレーム材からなる
　前記
上横フレーム材の前面に設けた外部表示灯ユニットと、
前記下皿部より上方の前記左縦フレーム材及び右縦フレーム材の前面を覆い意匠を部分的に変更するための
空間部を有する
　前記
右縦フレーム材に対応する
内には、前記施錠装置が位置する
【請求項２】前記ハンドルセット
及び前記下皿セットは前記前面枠の下横フレーム材
【請求項３】
前記フレームは金属製である
　
ウ．特許法第２９条第２項違反について
（１）．引用刊行物に記載の発明
　当審が平成１５年５月３０日付けで通知した取消しの理由において引用した刊行物には、それぞれ次のとおりの発明が記載されている。
　
　刊行物１（実願昭６０ー０６７４３３号（実開昭６１ー１８５４８２号）のマイクロフィルム）には、
「第１図は本考案に係るパチンコ機の正面図であり、第２図は上図の１１−１１線に沿った縦断側面図である。符号１はパチンコ機の外形を構成する機枠体、２はこの機枠本体の−側に図示しない蝶番を介して開閉自由に蝶着した扉枠、３は扉枠に開設する開口部４に−側を蝶着して開閉自由に取付けたガラス装着枠であり、５はこのガラス装着枠の下方に同じく図示しない蝶番を介して開閉自由に取付けた前枠版である。ここに示した機枠体１、扉枠２、そして前枠板５は従来のパチンコ機におけるものと同じものであり、ガラス装着枠３は後に詳述するように本考案において独自に構成される。機枠体１は縦長長方形状に枠組してなり、この前面一側縁に蝶着される扉枠２は中央部に開口部４を設けて額縁形をなし、その背面部に金属板で筐形に成形した機構枠体６が固定され、この内部に前方から遊技板７が収められる。」（５頁１行〜１８行）、
「１２は下部前面に取付けた下部賞球受け皿で、この下部前面には打球発射用の操作グリップ１３、背面には球を打出す発射杵を備えたモータ１４等が装置される。」（６頁９〜１２行）、
「さて、ガラス装着枠３は前面板３ａを主体にして内外２枚のガラス板１６、１７と、このガラス板を前後の隔てる飾り枠１８から構成され、この実施例では前面板３ａを略正方形状にして上部が手前に傾く前傾状態にしてあり、その四辺から後方に向けて枠板３ｂを延設し略笹形をなすよう形成してある。」（６頁１７行〜７頁３行）、
「図中２３は上記ガラス装着枠３が取付けられる扉枠２の前面左右に縦に配置固定した補助枠で、２４は窓１９の周囲に沿って多数連設した表示ランプ群である。補助枠２３は扉枠２の前面に突出するように設けられるガラス装着枠３に合わせて一体感を出すため設けた飾り材で、前面板３ａの前傾に合わせて傾斜面に形成し、実質的には一方の補助枠を足場にガラス装着枠の一側縁を蝶着し、開閉自由に取付けることになる。」（８頁１２行〜９頁１行）、と記載されている。
　上記記載及び第１〜４図の記載を総合すると、刊行物１には、「機枠体に扉枠を着脱可能に蝶着し、この扉枠に、遊技盤と打球発射用の操作グリップと発射杵を備えたモータおよびパチンコ球を貯留する下部賞球受け皿とを設けたパチンコ機において、
　前記扉枠は、額縁形であり、
　前記下部賞球受け皿より上方の扉枠の前面左右に縦に配置された複数の飾り材とからなるパチンコ機。」が記載されているものと認める。
　
　刊行物２（実願昭５９ー１１２１５６号（実開昭６１ー０２６５７９号）のマイクロフィルム）には
「扉枠４の右側上角部には全体として逆Ｌ字状をなす表示装置９が装着されている。この表示装置９は合成樹脂により成型され概略的にみて正面逆Ｌ字状の取付けケース１０と、入賞表示部１１、遊技中表示部１２、不正表示部１３及び呼出し表示部１４により構成されている。そして、各表示部１１〜１４は第５図に示すように前記扉枠４に透設した収容孔１５内に収容したランプ１６と、同ランプ１６を覆う表示ケース１７と、さらに取付ケース１０の格子部２２とにより構成されている。」（４頁１７行〜５頁７行）、
「なお、本考案は前記実施例に限定されるものではなく、表示装置９の取付位置はガラス扉周辺部であれば任意でよく、ガラス扉下方の球受皿操作ハンドルあたりに設けてもよく、各種表示部分を分割し各別に独立して設けでもよい。なお、また表示装置９を扉枠４に取付ける場合には取付ケース１０の形状を取付け位置に合うように逆Ｌ字状以外の長方形状、円形状、各種形状のものが考えられる。」（１０頁１８行〜１１頁６行）と記載されている。
　
　刊行物３（実願昭５９ー９４６３５号（実開昭６１ー１０７８７号）のマイクロフィルム）には、
「飾り部材６は第３図に示すように有色透明な合成樹脂で外形が支持板５の凹面部７に対応する形状をなし、かつ断面コの字型に形成され、その内部空間にランプ１ｌ，１１が配置される。」（３頁１９行〜４頁２行）と記載されている。
　
　刊行物４（特開平２ー１６４３８４号公報）には、
「パチンコ機１は、第１図に示すように、機枠２の一側に額縁状の前面枠３をヒンジ４により開閉可能に螺着し、該前面枠３の表面の上部に表示手段である表示ユニット５を取付けてある。表示ユニット５は、第２図に示すように、前面枠３の表面に取付ける本体ベース６と、該本体ベース６を包囲する包囲枠７と、本体ベースに取付けるランプ８…と、各ランプ８を覆うようにして取付けたレンズ部材９と、データの表示を行なう表示器１０と、表示器１０の前面を覆うようにして取付けたプレート１１が主要な構成部材である。」（２頁右上欄２０行〜左下欄１１行）、
「レンズ部材９は、本例では左側の第１レンズ部材９ａと、右側の第２レンズ部材９ｂの二つからなる。この第１レンズ部材９ａと第２レンズ部材９ｂは、前面が曲面で上下左右の面が平面で後面が開放した略蒲鉾状の透光性合成樹脂製箱体であり、前面と上下の面の内側面には四角錐形の小さな凹凸を無数に形成したレンズ加工を施し、上面と下面の後端には係止爪を有する係止部３３…を形成してある。」（３頁右上欄８〜１６行）、と記載されている。
　
　刊行物５（特開昭６２ー５３６７９号公報）には、
「パチンコ機の前面枠１は、第１図で示すように、アルミニウム等の金属の押出成型した型材からなる上横材２、下横材３、左縦材４、及び右縦材５を矩形に接続して窓部６を有する枠体を構成し、この枠体に窓部６を塞ぐようにして下部ユニット７、パネルユニット８及びガラス枠ユニット９を下から順次取付けてある。」（２頁右上欄３〜９行）と記載されている。
　
（３）対比・判断
（ｉ）．請求項１に係る発明について
　請求項１に係る発明と刊行物１に記載の発明を対比すると、刊行物１に記載の「扉枠」は、額縁形であるから、上下横フレーム材と左縦フレーム材及び右縦フレーム材からなるフレームであり、「機枠体」、「扉枠」、「打球発射用の操作グリップと発射杵を備えたモータ」、「下部賞球受け皿」および「飾り材」は、その機能から、請求項１に記載の「外枠」、「前面枠」、「打球の飛距離を調整するハンドルセット」、「パチンコ球を貯留する下皿部を有する下皿セット」および「飾り部材」に相当し、請求項１に係る発明は、段落【００２２】の記載からは、飾り部材３２は、左飾材３２１および右飾材３２２から構成され、この２つの飾材をもって複数の飾り部材としており、刊行物１の飾り部材（飾り材）も、前面枠（扉枠）の左右に縦に配置、すなわち、左縦フレーム材及び右縦フレーム材をそれぞれを覆うように複数配置されているから、両者は、「外枠に前面枠を着脱可能に蝶着し、この前面枠に、遊技盤と打球の飛距離を調整するハンドルセット及びパチンコ球を貯留する下皿部を有する下皿セットとを設けたパチンコ機において、
　前記前面枠は、上下横フレーム材と左縦フレーム材及び右縦フレーム材からなるフレームと、
　前記下皿部より上方の前記左縦フレーム材及び右縦フレーム材の前面を覆う複数の飾り部材とからなるパチンコ機。」である点で一致するが、下記の点で相違する。
（Ａ）請求項１に係る発明では、上横フレーム材の前面に設けた外部表示灯ユニットを備えているのに対し、刊行物１に記載の発明では、外部表示灯ユニットは備えていない点。
（Ｂ）請求項１に係る発明では、飾り部材は、意匠を部分的に変更するための複数の合成樹脂製からなり、空間部を有するのに対し、刊行物１に記載の発明では、飾り部材は、複数設けているが、意匠を部分的に変更するためのものか否かは不明であり、合成樹脂製で空間部を有することも不明である点。
（Ｃ）請求項１に係る発明では、右縦フレーム材に対応する飾り部材内には、施錠装置が位置する空間部を有しているのに対し、刊行物１に記載の発明では、施錠装置を備えていないから、このような構成を備えていない点。
　
　上記相違点について検討する。
　相違点（Ａ）について、刊行物４には、パチンコ機において、内部にランプを配置した表示ユニット、すなわち、外部表示灯ユニットを前面枠の表面の上部に設けることが記載されているから、同様のパチンコ機である刊行物１に記載の発明においても、外部表示灯ユニットを用い、これを前面枠の表面の上部である上部横フレーム材の前面に設けることは当業者が容易に想到し得るものである。
　相違点（Ｂ）について、パチンコ機の前面枠に設ける飾り部材等の部材を、合成樹脂製で、空間部を有するように構成することは刊行物２、３に記載されているから、刊行物１に記載の飾り部材も、空間部を有する合成樹脂製とすることは当業者が容易に想到し得るものである。また、本件明細書段落【００６９】には「前面枠の飾り部材を合成樹脂で形成すると共に複数に分割しているので、これらの部材に自由な装飾を施すことができ、装飾効果が著しく向上する。例えば、遊技盤の意匠に対応させて、前面枠の意匠を部分的に変更することが可能である。」と記載しているように、意匠を部分的に変更するための構成は、飾り部材が合成樹脂で構成され、複数に分割していることであって（本件特許明細書には、飾り部材についての意匠に関する記載は【００６９】のみで、意匠を部分的に変更するための実施例も存在せず、合成樹脂で構成され、複数に分割以外に意匠を部分的に変更するための構成も示されていない。）、上記したように、飾り部材を合成樹脂製で、空間部を有するように構成することは当業者が容易に想到し得るものであるから、このように構成した刊行物１に記載の飾り部材も、前面枠の意匠を部分的に変更することが可能である。
　相違点（Ｃ）について、施錠装置をパチンコ機の前面枠の右縦枠に設けることは、刊行物２、３、５および特開平３ー１２８０７８号公報、実願昭５９ー１７１０３５号（実開昭６１ー８５２７５号）のマイクロフィルム、実願平１ー６７９８８号（実開平３ー７８６８号）のマイクロフィルムに記載のように周知であるから、刊行物１に記載の発明においても、施錠装置を前面枠の右縦枠、即ち、飾り部材内に設けることは当業者が容易になし得ることであって、上記相違点（Ｂ）で判断したように、飾り部材を合成樹脂製で、空間部を有するように構成することは当業者が容易に想到し得るものであるから、このように構成した刊行物１に記載の発明における施錠装置の位置は飾り部材の空間部になる。
　そして、請求項１に係る発明の効果も、上記刊行物１ないし４に記載の発明および周知技術から容易に予測し得るものであって、格別顕著なものとは認められない。
　
（ｉｉ）請求項２に係る発明について
　請求項２に係る発明は、請求項１に係る発明において、ハンドルセット及び下皿セットを、前面枠の下横フレーム材に止着したものであるが、刊行物１に記載の発明も、第１〜４図の記載では、ハンドルセット及び下皿セットは、前面枠（扉枠）の下横フレームに止着され、刊行物５の下部ユニットも左右の縦材４、５とともに下横材３にも止着されているから、この点にも格別の困難性は認められない。
　
（ｉｉｉ）請求項３に係る発明について
　請求項３に係る発明は、請求項１または２に係る発明において、フレームは金属製と特定したものであるが、刊行物５には、前面枠をアルミニウム等の金属の型材で上横材、下横材、左縦材及び右縦材で矩形にした枠材で構成することが記載されているから、フレームを金属製とすることも当業者が容易になし得るものである。　
　
オ．むすび
　以上のとおりであるから、請求項１ないし３に係る発明は、特許法第２９条第２項の規定により特許を受けることができない。
　したがって、請求項１ないし３に係る発明の特許は拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１５年９月３０日（２００３．９．３０）
【訂正の要旨】
審決（決定）の【理由】欄参照。
（５４）【発明の名称】
パチンコ機
（５７）【特許請求の範囲】
　【請求項１】　外枠に
対して、施錠装置を備える
　前記前面枠は、
上下横フレーム材と左縦フレーム材及び右縦フレーム材からなる
　
前記上横フレーム材の前面に設けた外部表示灯ユニットと、
　
前記下皿部より上方の前記左縦フレーム材及び右縦フレーム材の前面を覆い意匠を部分的に変更するための
空間部を有する
　前記
右縦フレーム材に対応する
内には、前記施錠装置が位置する
　【請求項２】　前記ハンドルセット
及び前記下皿セットは前記前面枠の下横フレーム材
　【請求項３】　
前記フレームは金属製である
【発明の詳細な説明】
　【０００１】
　【産業上の利用分野】
　この発明は、パチンコ機に関し、特に従来のパチンコ機とは異る構造を有するパチンコ機に関するものである。
　【０００２】
　【従来の技術】
　周知のように、パチンコ機は誕生以来その基本的構造に殆ど変化がなく、木製の外枠に、ガラス板を装着して内部を透視可能にした窓部を有する額縁状の前面枠を開閉可能に蝶着し、窓部の後方に役物や入賞口及びアウト口、及び障害釘を設けた遊技盤を臨ませて構成してある。そして、従来のパチンコ機は木（合板）を構造材として利用している。ところが、近年のパチンコ機では、大型の役物を好む傾向があるし、役物等に電気部品を多用し、これらをマイクロコンピュータにより制御しているので、重量の増加が著しく、構造材の強度不足が現れている。また、近年のパチンコ機は大当りになると大量の賞球獲得が可能になっているので、不正に賞球を狙う不正遊技が後を断たない。また、不正遊技が行われた場合の遊技店の被害額が大きい。更に、近年は自然保護が叫ばれ、木材の使用量を減少させる方向にあるので、木材に代わる構造材を使用したパチンコ機が望まれている。そこで、例えば、特開昭６２−５３６７９号公報により、前枠をアルミニウムの押出成型材により構成したものが提案されている。また、特開昭６３−５７７４号公報では、従来のガラス枠とガラス板とを合成樹脂により形成したものが提案されている。
　【０００３】
　【発明が解決しようとする課題】
　しかしながら、上記改良されたパチンコ機にあっても、基本的には従来のパチンコ機の構造において一部の素材を変更しているにすぎず、新規なパチンコ機の開発には至っていない。一方、構造材として合成樹脂を利用することも考えられるが、従来のパチンコ機の構造をそのまま合成樹脂に置き換えることは、強度や成型の点で困難であるし、不正遊技が発生する虞れもある。また、従来の木製のパチンコ機にあっては、木材の表面に化粧板を添設するなど、表面仕上げが必要で手間の掛かるものであった。
　【０００４】
　【課題を解決するための手段】
　本発明は、上記に鑑み提案されたもので、請求項１に記載した発明は、外枠に
対して、施錠装置を備える
上下横フレーム材と左縦フレーム材及び右縦フレーム材からなる
前記上横フレーム材の前面に設けた外部表示灯ユニットと、前記下皿部より上方の前記左縦フレーム材及び右縦フレーム材の前面を覆い意匠を部分的に変更するための
空間部を有する
右縦フレーム材に対応する
内には、前記施錠装置が位置する
　請求項２に記載した発明は、上記請求項１に記載の構成に加えて、ハンドルセット
及び前記下皿セットは前記前面枠の下横フレーム材
　請求項３に記載の発明は、上記請求項１または２に記載の構成に加えて、
フレームは金属製である
　【０００５】
　【作用】
　フレームを合成樹脂製の空間部を有する複数の飾り部材が覆って前面枠を構成し、ハンドルセットと下皿部を有する下皿セットとをフレームに止着することができる。
　【０００６】
　【実施例】
　以下、本発明を図示の実施例について説明すると、図１は本発明に係るパチンコ機１の概略斜視図であって、このパチンコ機１は外観上、外枠２とこの外枠２に開閉自在に蝶着される前面枠３と、上皿等を設けた上皿セット４と、下皿及び操作ハンドル等を設けた下皿セット５とに大別できる。一方、図２はパチンコ機１の概略背面図であって、向かって左側上方から球を貯留する上タンク１１、球を誘導する下タンク１２、遊技盤１３に配置する役物等を制御する遊技盤制御ボックス１４、入賞球を集めたり役物等の背面側を保護するリヤカバー１５、入賞球の処理や賞球の払出を制御する枠制御ボックス１６が配置され、リヤカバー１５の右方には下タンク１２に連通する賞球払出装置１７、リヤカバー１５の下方には入賞球処理装置１８が夫々配置されている。また、図３はパチンコ機１の概略左側面図であって、外枠２の前面側に上皿セット４及び下皿セット５が突出状に位置し、外枠２の背面側には上タンク１１、下タンク１２が突出状に位置し、賞球払出装置１７及び入賞球処理装置１８が互いにほゞ平面状に位置し、リヤカバー１５が賞球払出装置１７等から若干突出状に位置している。また、図４は、上皿セット４及びガラス枠８を外した状態の正面図で、遊技盤載置台１９や、打球発射装置１９１、球送り装置１９２、スピーカユニット１９３等が示してある。
　【０００７】
　外枠２は、図５ないし図１０に示すように、金属板を断面チャンネル状に形成した左右の縦枠材２１，２２及び上横枠材２３と、底板部２４１と前板部２４２をほゞ直角状に有すると共に前板部２４２の上縁から後方へ向けて上板部２４３をほゞ直角に延設して断面ほゞ逆Ｌ字状に形成した下横枠材２４とを矩形に組立てなり、各突合せ角部には連結金具が設けてある。
　【０００８】
　図５において向かって左側の上角部に設ける連結金具２５１は左縦枠材２１と上横枠材２３とを連結し、下角部の連結金具２５２は左縦枠材２１と下横枠材２４とを連結する。また、これらの連結金具２５１，２５２は前面枠３を開閉自在に蝶着する蝶着手段２６を一体に構成している。上側の連結金具２５１は、金属板をＬ字状に屈曲させて、上横枠材２３及び左縦枠材２１に添わせる上接続片２５１ａ及び左接続片２５１ｂを形成し、上接続片２５１ａには下向きに突出する上蝶着ピン２６１を有する上蝶着片２６２を重合させる。尚、上蝶着片２６２は上横枠材２３の前縁より前方へ延出し、上記上蝶着ピン２６１は延出部分に設けてある。この上側連結金具２５１は、各接続片２５１ａ，２５１ｂを上横枠材２３及び左縦枠材２１の端部から突き入れて添わせた後、スポット溶接等により固着する。
　【０００９】
　一方、下側の連結金具２５２は、正面から見て断面がほゞ門型に形成してあり、左右の脚片２５２ａ，２５２ｂを下横枠材２４の底板部２４１に載置して溶接すると共に、上面部２５２ｃに左縦枠材２１の下端部を当接させて溶接することにより両枠材２１，２４を一体化する。また、上面部２５２ｃからは上記上蝶着片２６２に対応するように軸受孔２６３ａを有する下蝶着片２６３を設ける。尚、軸受孔２６３ａは上蝶着片２６２の上蝶着ピン２６１の垂線上に位置する。更に、この下蝶着片２６３の上面にはガイド板２６４を添設する。このガイド板２６４は、軸受孔２６３ａに対応する位置に前縁に向けて開放する切欠２６４ａを設け、この切欠２６４ａにより前方から挿入される前面枠３の下蝶着ピン３７１を上記軸受孔２６３ａに容易に誘導できるようにしてある。尚、上記軸受孔２３６ａには前面枠３に設ける下蝶着ピン３７１を受け入れる筒部が一体に設けてある。
　【００１０】
　また、右縦枠材２２と上横枠材２３とを連結する連結金具２５３は、金属片をＬ字状に屈曲させたもので、各板片２５３ａ，２５３ｂを上横枠材２３及び右縦枠材２２の突合せ端部に突き入れて添わせると共に適宜スポット溶接して一体に連結する。また、右縦枠材２２と下横枠材２４とを連結する連結金具２５４はコ字状に形成してあり、下横枠材２４の底板部２４１に立ち上げると共に、側面に右縦枠材２２の下端部分を添わせて溶接する。
　【００１１】
　従って、外枠２は、左右の縦枠材２１，２２と上下の横枠材２３，２４とを各連結金具２５１，２５２，２５３，２５４を介して溶接することにより、矩形の枠体に形成されると共に、一側に前面枠３を開閉自在に支持する蝶着手段２６が形成されることになる。
　【００１２】
　上記のような外枠２に蝶着する前面枠３は、補強枠としての金属製のフレーム３１と枠装飾部材としての合成樹脂製の飾り部材３２とからなる。上記フレーム３１は、概説すると左右の縦フレーム材３１１，３１２と、上下の横フレーム材３１３，３１４と、中段より下横フレーム材３１４に寄った横位置に設ける中フレーム材３１５とを矩形に組み付けてなる。尚、図示の実施例ではＬ字状のフレーム材を示しているが、コ字状のフレーム材で構成してもよい。
　【００１３】
　左縦フレーム材３１１は外縁側に前方へ向けて延出する起立リブ３１１ａを有するほゞＬ字状の板材からなり、適宜位置に他の部材の取付孔や位置決め手段等が設けてある。一方、右縦フレーム材３１２は内縁側に前方へ向けて延出する起立リブ３１２ａを有するほゞＬ字状の板材からなる。この右縦フレーム材３１２の上端付近及び下端付近には、横フレーム材３１３，３１４の挿入片３１３ａ，３１４ａを通す開口を起立リブ３１２ａの付根に開設すると共に、適宜位置に取付孔や位置決め手段が設けてあり、また後述する施錠装置９０のシリンダ錠９０２を通す通孔３１２ｂ等が設けてある。
　【００１４】
　上下の横フレーム材３１３，３１４は、上下の縁部に前方へ向けて延出するリブを形成した断面形状ほゞコ字状の部材であって、右縦フレーム材３１２と接合する右端部分に舌片状の挿入片３１３ａ，３１４ａを夫々形成してある。また、各横フレーム材３１３，３１４には適宜取付孔や位置決め手段、或は配線口等を設ける。
　【００１５】
　中フレーム材３１５は、左右の縦フレーム材３１１，３１２に横架する前面部３１５ａと、該前面部３１５ａの上縁から後方へ延出する上面部３１５ｂとを有し、該上面部３１５ｂの長手方向のほゞ左半部分には更に上方へ延出する起立部３１５ｃを有している。尚、各部の適宜位置には取付孔や位置決め手段を設ける。
　【００１６】
　上記のような各フレーム材を組付けるには、左縦フレーム材３１１と上横フレーム材３１３との結合部分に上結合部材３３を設ける。この上結合部材３３は上蝶番３５を構成するもので、左縦フレーム材３１１の前面に止着すると共に上横フレーム材３１３内に延在する止着部３３１と、該止着部３３１の上縁から前方へ延出する外枠支持片３３２と、下縁から外枠支持片３３２とほゞ平行に前方へ延出するガラス枠支持片３３３とを有した断面コ字状をなしている。上記外枠支持片３３２には外枠２の蝶着手段２６である蝶着ピン２６１を受け入れる軸孔３５１を開設し、ガラス枠支持片３３３にはガラス枠８の上ヒンジ手段８６１のスライドピン８６４を挿入する軸孔３５２を設ける。また、止着部３３１には取付孔や例えば長孔状の位置決め手段を設ける。
　【００１７】
　一方、左縦フレーム材３１１と下横フレーム材３１４との結合部分に設ける下結合部材３６は、下蝶番３７を構成するもので前記した外枠２の蝶着手段２６の軸受孔２６３ａに挿入可能な下蝶着ピン３７１を有している。この下結合部材３６は、左縦フレーム材３１１に止着する止着部３６１と、該止着部３６１の上下の縁から前方へ向けて延出する上下の支持片３６２，３６３と、止着部３６１の側方へ向けて延出して下横フレーム材３１４に止着する延出片３６４とを有する部材であって、側面の形状がほゞコ字状に形成してある。そして、上支持片３６２及び下支持片３６３には軸孔を設け、これらの軸孔にスライドピン３７２を一連に通すと共にバネ３７３で下方へ付勢し、スライドピン３７２の下端を下方へ突出させて下蝶着ピン３７１を構成する。下支持片３６３の軸孔は、ブッシュ３７４がカシメてあり、スライドピン３７２はこのブッシュ３７４に挿通してある。また、このブッシュ３７４は前記した外枠２の下連結金具２５２のガイド板２６４の切欠２６４ａにガイドされ、前面枠３の装着を容易にしている。尚、このスライドピン３７２には操作レバー３７５を設け、該操作レバー３７５の操作により当該スライドピン３７２を引き上げ可能としてある。尚、操作レバー３７５は右縦フレーム材３１１に開設した開口に通してあり、該開口の上端は拡幅して引き上げた操作レバー３７５が係止可能な係止口３１１ｂとなっており、引き上げた状態を維持可能である。一方、止着部３６１には位置決め手段及び取付孔を設け、延出片３６４には長孔状の位置決め手段を設けて微調整可能とする。また、この実施例では上記スライドピン３７２に対するバネ３７３の巻装や操作レバー３７５の装着には止め輪が用いられている。
　【００１８】
　中フレーム材３１５を左縦フレーム材３１１に取り付ける中結合部材３８は、側面形状がほゞＬ字状の部材であって、左縦フレーム材３１１に止着する止着部３８１の下縁から前向きに上皿セット４を下側から支える受板部３８２が延出し、止着部３８１の側方には中フレーム材３１５に止着する取付片３８３が延出している。尚、上記受板部３８２には軸孔３８４を開設し、中結合部材３８の適宜位置には取付孔及び位置決め手段を設ける。
　【００１９】
　更に、左縦フレーム材３１１の中程には、上記中結合部材３８に対向するように、上皿ヒンジ兼ガラス枠ヒンジ材３９を設ける。このヒンジ材３９は左縦フレーム材３１１に止着する止着部３９１と、この止着部３９１の上縁から前方へ延出するヒンジ片３９２とを有し、該ヒンジ片３９２にはブッシュ３９３を介在させて軸受部３９４を形成する。
　【００２０】
　次に、上記のような各フレーム材を用いたフレーム３１の組立を説明すると、上横フレーム材３１３と左縦フレーム材３１１との突合せ部分には上結合部材３３を位置させ、下横フレーム材３１４と左縦フレーム材３１１との突合せ部分には下結合部材３６を位置させ、各横フレーム材３１３，３１４と右縦フレーム材３１２との接合は、各横フレーム材３１３，３１４の挿入片３１３ａ，３１４ａを右縦フレーム材３１２に開設した開口に通した後、当該挿入片３１３ａ，３１４ａを位置決め手段で位置決めする。そして、中フレーム材３１５の左側を中結合部材３８を介して左縦フレーム材３１１に位置決めすると共に、右側を右縦フレーム材３１２に位置決めする。更に、中フレーム材３１５の右端に設けた折曲重合部３１５ｄを右縦フレーム材３１２に添わせて当該中フレーム材３１５を支える支持部材３８５を下横フレーム材３１４との間に設ける。そして、適宜位置をスポット溶接して各部材を固定する。
　【００２１】
　上記のようにして組み立てたフレーム３１の背面側には、内部に遊技盤１３を収設可能なリヤプレート６を設ける。このリヤプレート６は金属板を浅い筺形に形成したものであって、ほゞ中央部分には比較的大きな窓６１を開設し、適宜位置に、賞球の払出口６２や、表示装置の取付口６３等を設ける。一方、このリヤプレート６の底板部６４には、発射レールの設置が可能なように切欠口６５が設けてある。尚、上記リヤプレート６の周縁には鍔部６６が延設してあり、この鍔部６６をフレーム３１の背面側に適宜スポット溶接して固定してある。
　【００２２】
　上記のようにして組み立てたフレーム３１には、内部に空間部を有する複数の飾り部材３２及び外部表示灯ユニット７をフレーム３１のほゞ全面を覆うように取り付けて前面枠３を構成する。即ち、左縦フレーム材３１１の起立リブ３１１ａには側面を覆う飾り部材３２として左飾枠３２１を設け、右縦フレーム材３１２には側面及び前面を覆う右飾枠３２２を設け、上横フレーム材３１３の前面にはランプカバー７１内にランプ７２を収設した外部表示灯ユニット７を設ける。
　【００２３】
　上記外部表示灯ユニット７は、ランプ７２を並設したランプ基板７３と、上横フレーム材３１３の前面に設けて上記ランプ基板７３の台座となるユニット基板７４と、ランプ基板７３を覆うようにユニット基板７４に取り付けるランプカバー７１とからなる。上記ユニット基板７４は、図１７及び図２０に示すように、ランプ基板７３を収納する凹部７４１を有すると共に、この凹部７４１の左右に拡張部７４２，７４３が広がる。この拡張部７４２，７４３の前面側には、ランプカバー７１の取付脚７１１を受入可能な止着筒７４５を設けると共に、背面側には上記止着筒７４５にねじ込むビスを通す筒状部７４６を設ける。また、ユニット基板７４の左右端付近には拡張部７４２，７４３と上横フレーム材３１３との間隔を確保する支柱７４７を設ける。更に、上記左拡張部７４２には、ガラス枠８の外面形状と相似するように露出部７４８を連設する。尚、凹部７４１の底板部７４１ａには上横フレーム材３１３に止着する止着ボス７４１ｂが設けてある。
　【００２４】
　上記ユニット基板７４に被着するランプカバー７１は、空間部を有する断面ほゞコ字状で中央部が円弧状に膨出してランプ基板７３及びユニット基板７４の前面を覆う部材であって、緩やかな曲面状を描く前板部７１２と、この前板部７１２の上下縁から後方へ延出する上板部７１３及び下板部７１４とを有し、上記前板部７１２の背面側から上記ユニット基板７４の止着筒７４５に嵌合可能な取付脚７１１が延出する。また、この前板部７１２の右側端部には、係合リブ７１２ａを設け、右飾枠３２２に設ける係合段部３２２ａと当接するようにする。一方、前板部７１２の左側端部は、ユニット基板７４の露出部７４８に設けた掛止段部７４８ａに当接させる。
　【００２５】
　上記のようなランプカバー７１はユニット基板７４の後方から筒状部７４６に通したビスでネジ止めする。また、ユニット基板７４を上横フレーム材３１３の後方から更にネジ止めして外部表示灯ユニット７を固定する。このようにすれば、前面側からネジ等が見えないばかりか、このネジを外して不正遊技を働くことができない。更に、ユニット基板７４とガラス枠８が当接するユニット基板７４の下縁には、長手方向に添って、図２０に示すように不正遊技防止用の凹溝７５が設けてある。
　【００２６】
　左縦フレーム材３１１の側面に設ける左飾枠３２１は、外枠２の上下の蝶着手段２６の間に縦方向に一連に位置する部材で、左縦フレーム材３１１に固定される。この左飾枠３２１は例えば図４３または図４４に示すように、側面部３２１ａと、この側面部３２１ａの前縁に延出する傾斜前面部３２１ｂと、側面部３２１ａの後縁から延出する傾斜後面部３２１ｃと、この傾斜後面部３２１ｃから横方に延出する不正防止片３２１ｄとを有して内部に空間部を形成するようになっており、上記側面部３２１ａの内側には適宜間隔で取付ボス３２１ｅを配置する。この左飾枠３２１を左縦フレーム材３１１に固定するには、上記取付ボス３２１ｅに通したビスを左縦フレーム材３１１の起立リブ３１１ａに設けた取付孔にねじ込む。
　【００２７】
　一方、右飾枠３２２は、右縦フレーム材３１２の側面及び前面を覆う部材であって、斜面部３２２ｂとこの斜面部３２２ｂから後向きに延出する側面部３２２ｃとを有して内部に空間部を形成するようになっており、外枠２の上辺と下皿セット５の上辺との間に一連に位置する。この右飾枠３２２は、例えば図４及び図１７に示すように、外部表示灯ユニット７の側方部分では、若干ランプカバー７１の側方に膨らんで膨出部３２３を形成している。この膨出部３２３においては、前面部分にランプカバー７１の係合リブ７１２ａと係合する係合段部３２２ａを有しており、係合段部３２２ａの側端から後方へ向けて仕切り板部３２２ｄが延出している。一方、上記斜面部３２２ｂと側面部３２２ｃとは下皿セット５の上辺迄一連に延びており、ガラス枠８に対応する位置には、ガラス枠８に設ける装飾体８２１の不正防止片８２３を受け入れる嵌合溝３２２ｅが斜面部３２２ｂの前端部分に形成してある（図４３，４４）。
　【００２８】
　上皿セット４は、ガラス枠兼上皿ヒンジ３９と中結合部材３８の受板部３８２との間に開閉可能に軸着される賞球を貯留する上皿部４１を有したユニットであって、概略すると金属板からなる上皿セット取付板４２と、この上皿セット取付板４２の前面に設ける合成樹脂を一体成型して構成した上皿本体４３と、この上皿本体４３の前端面に設ける合成樹脂製の前カバー４４とからなる（図２１ないし図２４）。
　【００２９】
　上皿セット取付板４２は、ほゞ平板状の金属板で、上縁の長手方向に添って前方に開口するほゞコ字状の不正防止凹溝４２１を屈曲形成し、下縁の長手方向には後方へ向いて延出する屈曲片４２２を設ける。この上皿セット取付板４２には賞球排出口４２３を開設し、この賞球排出口４２３に賞球受樋４５を連通させ、賞球払出装置１７から流下する賞球を上皿部４１へ誘導する。また、上皿部４１内の球を一列に整列させる整列樋４３１の流下端位置に対応する位置には、打球発射装置へ球を供給する供給口４２４を開設する。この供給口４２４には供給停止装置４６のストッパ４６１を臨ませ、このストッパ４６１をソレノイド４６２により作動杆４６３を介して駆動して、球の供給を停止可能とする。尚、このストッパ４６１にはスプリング４６４等の付勢手段を設け、常態では供給口４２４がストッパ４６１により閉じた状態を維持するようにする。更に、上皿セット取付板４２の適宜位置には下皿部５１への連絡口４２５を開設し、上皿セット４の球抜きボタン４３３を操作したときに作動する上皿球抜き装置（図示せず）を介して、上皿の球を下皿セット５の余剰球払出口５２１から下皿へ排出させる。
　【００３０】
　上記のような上皿セット取付板４２に止着する上皿本体４３は、上側に凹陥状の上皿部４１を有すると共に上面操作部４３２を有している。上皿部４１には上記したように上皿部４１の球を供給口４２４へ誘導する整列樋４３１を設ける。上記上面操作部４３２には上皿の球を下皿に排出させる上皿球抜き装置の操作ボタン４３３を設けると共に、打球発射装置１９１に対する球の供給を一時的に停止する一時停止ボタン４３４を設ける。また、この上皿本体４３は下皿セット５の上方に位置する庇部４７を構成している。更に、上皿本体４３の左右の端部には、ヒンジ手段４８及び閉止手段４９を設ける。
　【００３１】
　ヒンジ手段４８は、正面向かって左側上部に設ける上部ヒンジ手段４８１と、左側下部に設ける下部ヒンジ手段４８２とからなる。上部ヒンジ手段４８１は、左縦フレーム材３１１に設けたガラス枠兼上皿ヒンジ３９に挿通するスライドピン８７３が嵌合する係合孔４８３を有する上ヒンジ４８４を上皿本体４３に設けたボス部にビスで止着してある。一方、下部ヒンジ手段４８２は、上下にスライド可能なスライドピン４８５を、上記スライドピン８７３の垂線上に配置したものである。この下部ヒンジ手段４８２は、ピン挿通孔を各々開設した上支持片４８２ａ及び下支持片４８２ｂと、上端部分において係止段部４８６ａを形成するように横に拡幅するほゞＴ字状の上皿開放用係止口４８６を有する基板片４８７とからなる断面ほゞコ字状の支持部材４８８に、スプリング４８９を巻装したスライドピン４８５を挿通すると共に、該スライドピン４８５に操作杆４８５ａを装着して端部を上記係止口４８６から延出させてなる。尚、上記スプリング４８９は上支持片４８２ａと操作杆４８５ａの装着部との間にスライドピン４８５を下方へ付勢するように巻装してあり、操作杆４８５ａは装着部に螺合した止着ビスにより固定してある。従って、下部ヒンジ手段４８２のスライドピン４８５は、通常の状態においては下端を下支持片４８２ｂの下へ突出させているが、操作杆４８５ａを引き上げて係止段部４８６ａに係止させると、下端が下支持片４８２ｂの下面とほゞ面一になる。
　【００３２】
　また、上部ヒンジ手段４８１の上ヒンジ４８４に開設した係合孔４８３には、ガラス枠８に設けるヒンジ手段８７のスライドピン８７３が嵌入し、上記下部ヒンジ手段４８２のスライドピン４８５と共に、上皿セット４を開放可能に支持する。
　【００３３】
　一方、閉止手段４９は、後述するガラス枠８のロック装置９とほゞ同様の構成からなり、上皿セット４側には、Ｌ字状の支持金具４９１にロックピン４９２が植設してある。そして、このロックピン４９２が、右縦フレーム材３１２の下方部分に設けるロック装置９０′が有する回動自在なロック部材のピン係止部に嵌入し、上記ロック部材を回動自在な作動部材が拘束し、この作動部材を操作することにより、上皿セット４の施錠、解錠を行う。
　【００３４】
　下皿セット５は、中フレーム材３１５の下方に配置するユニットであって、概略すると、余剰球を貯留する凹陥状の下皿部５１を有し、中フレーム材３１５及び下横フレーム材３１４に止着する下皿ベース５２と、この下皿ベース５２に止着する下皿本体５３と、この下皿本体５３に止着する下皿カバー５４とからなる。下皿ベース５２には、余剰球払出口５２１を設けると共に、上縁に不正防止溝５２２を形成する。
　【００３５】
　また、下皿本体５３には凹陥状の下皿部５１を形成すると共に、該下皿部５１の側方に平坦部５３１，５３２を設け、右側平坦部５３２には、発射停止ボタン５３３となるタッチスイッチや、図柄変動停止ボタン５３４となる押しボタンスイッチを設ける。尚、左側平坦部５３１には図示していないが灰皿等を設けることができる。
　【００３６】
　一方、下皿カバー５４は、下皿本体５３の前縁を覆うと共に下面部５４１を形成し、また、ハンドル取付部５４２を設ける。更に、この下皿カバー５４には球抜き装置５５を設け、この球抜き装置５５の操作レバー５５１を前縁に臨ませる。
　【００３７】
　上記球抜き装置５５は、付勢手段５５２で付勢された閉止蓋５５３を球抜き口５５４に臨ませてなり、操作レバー５５１を操作すると球抜き口５５４が開放して貯留した球を下方へ排出できる。尚、下皿セット５の両側端部は、左右の飾枠３２１，３２２の傾斜面部に合わせて、傾斜状に形成してある。また、下皿カバー５４の下面側の左隅部には、下蝶番３７のブッシュ３７４及び下蝶着ピン３７１が位置する切欠部５４３を設ける。
　【００３８】
　打球の飛距離を調整するハンドルセット５６は、下横フレーム材３１４に止着するハンドルアーム５６１からハンドルグリップ５６２を立上り状に設けてなり、該ハンドルグリップ５６２の内部には可変抵抗器等を設け、この可変抵抗器の抵抗値をハンドルグリップ５６２に設けた打球発射調整操作ダイヤル５６３によって調整し、打球発射装置に供給する電力を可変して飛距離の調整を行う。
　【００３９】
　ガラス枠８は、外枠体８１に装飾体８２を止着して構成した外ガラス枠８３と、上記外ガラス枠８３に重合状に止着する内ガラス枠８４とからなり、両ガラス枠８３，８４には各々ガラス板８５ａ，８５ｂを装着して二重構造としてある。そして、このガラス枠８はヒンジ手段８６、８７により外部表示灯ユニット７と上皿セット４との間に開閉自在に蝶着する。
　【００４０】
　外枠体８１は、合成樹脂を額縁状に一体成型して構成した部材であって、左右の縦枠部８１１，８１２と上下の横枠部８１３，８１４とを有している。軸着側の縦枠部８１１は、図３２に示されるように、枠体の前端面となる平面部８１１ａの側縁から傾斜状に後方へ延びる内側斜面部８１１ｂと外側斜面部８１１ｃとを有し、断面図形状がほゞ台形をなしており、上記平面部８１１ａの背面側には適宜位置に必要な取付ボス８１１ｄや補強リブ８１１ｅが設けてある。また、上記外側斜面部８１１ｃには傾斜面を有する装飾体８２１が添設してある。
　【００４１】
　上記軸着側の装飾体８２１は、平面部８１１ａの端縁に設けた係合部８１１ｆに係合する係合片８２１ａから外側斜面部８１１ｃに沿う斜面部８２１ｂが延出し、該斜面部８２１ｂの後縁から側面部８２１ｃが後方へ延び、更に横方向へ不正防止片８２１ｄが延出している。
　【００４２】
　また、自由端側の縦枠部８１２は、同じく図３２に示されるように、平面部８１２ａの内側縁から傾斜状に後方へ向けて内側斜面部８１２ｂが延出し、外側側縁には装飾体８２２の端縁８２２ａが係合する係合段部８１２ｃを設けると共に、止着段部８１２ｄが背面側に設けてある。尚、この縦枠部８１２にも適宜位置に取付ボスや補強リブが必要に応じて設けてある。
　【００４３】
　一方、上横枠部８１３は、図３１に示されるように、断面図において、前面部８１３ａの内側縁から傾斜面部８１３ｂが延出し、外側縁から背面側へ向けて不正防止用係止片８１３ｃが延設してあり、この不正防止用係止片８１３ｃはランプカバー７１を止着するユニット基板７４に形成した不正防止用凹溝７５に係合可能としてある。また、下側の横枠部８１４は、図３１に示すように、前面部８１４ａの外側縁から外側傾斜面部８１４ｂが延出し、該傾斜面部８１４ｂの先端は、上皿セット取付板４２の上縁に設けた不正防止凹溝４２１に嵌入可能となっている。また、この下横枠部８１４の背面側にはガラス板受部８１４ｃが長手方向に添って延出している。
　【００４４】
　上記のような概略構成の外枠体８１には、更に外ガラスガイド８１５を縦枠部８１１，８１２の内側縁に添って設ける。この、外ガラスガイド８１５は装着する外ガラス板８５ａの側縁を支承し、該外ガラス板８５ａの下縁は下横枠部８１４に設けたガラス板受部８１４ｃで支える。尚、上記外ガラスガイド８１５の縦枠部８１１，８１２への取付は、適宜配設したボス部にビスをねじ込んで行えばよい。
　【００４５】
　また、外枠体８１の裏面側には、ガラス枠８を前面枠３に対して開閉自在に支承するためのヒンジ手段８６を設ける。上ヒンジ手段８６１は、上支持片８６２ａ及び下支持片８６２ｂと、下端部分において係止段部８６２ｃを形成するように横に拡幅するほゞ逆Ｔ字状のガラス枠着脱用係止口８６２ｄを有する基板片８６２ｅとからなる断面ほゞコ字状の支持部材８６２に、スプリング８６３を巻装したスライドピン８６４を挿通すると共に、該スライドピン８６４に操作杆８６５を装着して端部を上記上支持片８６２ａにカシメたブッシュ８６６から上方へ突出させてなる。尚、上記スプリング８６３は下支持片８６２ｂと止め輪で止着した操作杆８６５との間に当該スライドピン８６４を上方へ付勢するように巻装してある。従って、上ヒンジ手段８６１のスライドピン８６４は、通常の状態においては上端を上支持片８６２ａの上へ突出させているが、操作杆８６５を引き下げて係止段部８６２ｃに係止させると、上端をガラス枠支持片３３３から後退させた状態で止めることができる。
　【００４６】
　一方、下ヒンジ手段８７は、ピン挿通孔を各々開設した上支持片８７１ａ及び下支持片８７１ｂと、上端部分において第１係止段部８７１ｃを形成すると共に、上記第１係止段部８７１ｃとは高さ位置を下げて反対側へ拡幅する第２係止段部８７１ｄを形成した係止口８７１ｅを有する基板片８７１ｆとからなる断面ほゞコ字状の支持部材８７１に、スプリング８７２を巻装したスライドピン８７３を挿通すると共に、該スライドピン８７３に操作杆８７４を装着して下端をピン挿通孔から延出させてなる。尚、上記スプリング８７２は上支持片８７１ａと操作杆８７４の装着部との間にスライドピン８７３を下方へ付勢するように巻装してあり、操作杆８７４は止め輪にて固定してある。従って、下ヒンジ手段８７のスライドピン８７３は、通常の状態においては下端を下支持片８７１ｂの下へ突出させているが、操作杆８７４を引き上げて第２係止段部８７１ｄに係止させると、下端が上皿セット４の上部ヒンジ手段４８１から外れ、更に操作杆８７４を引き上げて第１係止段部８７１ｃに係止させると、スライドピン８７３の下端がガラス枠兼上皿ヒンジ３９のヒンジ片３９２から外れる。
　【００４７】
　更に、この外枠体８１には後述する内ガラス枠８４を開閉可能に支持する外枠ヒンジ８１６を設ける。この外枠ヒンジ８１６は軸着側縦枠部８１１の裏面に設けた取付ボスにビスで止着されるほゞ逆Ｌ字状の金具であって、上下に一組設ける。この外枠ヒンジ８１６の支持面部には通孔８１６′が開設してあり、後述する内ガラス枠８４のヒンジピン８４６ａを遊嵌する。そして、この実施例では、軸着側縦枠部８１１にスピーカ収納カバー８１７内にスピーカ８１８を収設したスピーカユニット８１９を設けてある。尚、前記した遊技盤載置台１９に設けたスピーカユニット１９３とは異る音声や効果音を放声するようにするとよい。
　【００４８】
　一方、自由端側の縦枠部８１２には内ガラス枠８４の側縁を係止するロック部材８８及びガラス枠８を前面枠３に対して開閉自在に止着するためのロックピン８０を設ける。ロック部材８８は図３０中に示すように、側面に向けて開口する係合部８８１を有すると共に、同じ側面にロック用凸部８８２が山形に形成してある。このロック部材８８は断面ほゞコ字状の基台片８０１の上片に軸ネジにより回動可能に軸着されている。また、上記ロックピン８０は、柱状部材を基台片８０１の側面にカシメて形成してある。
　【００４９】
　内ガラス枠８４を構成する内枠体は、合成樹脂を額縁状に一体成型して構成した部材であって、左右の縦枠部８４１，８４２と上下の横枠部８４３，８４４とを有している。軸着側縦枠部８４１は、図３６に示されるように、傾斜面部８４１ａから支持片部８４１ｂが延出し、この支持片部８４１ｂに設けた取付ボス８４１ｃに係合ピン８４６ａを有する上下一組の内枠ヒンジ８４６を設ける。また、この縦枠部８４１には内ガラス板８５ｂの側縁を支持する内ガラスガイド８４７を取付ボスにビスで止着する。一方、自由端側の縦枠部８４２には、内ガラスガイド８４７を設けると共に、ロック部材８８の受片８４８を設ける。この受片８４８は、外ガラス枠８３に設けたロック部材８８の係合部８８１に係合可能に突片状に形成してある。また、この受片８４８に接近させてロック部材８８の凸部８８２に係合する凹凸部８４８ａが設けてあり、該凹凸部８４８ａの裏面側には空隙部８４８ｂを形成してロック時の弾性変形を容易にしている。
　【００５０】
　上記のような概略構成の内枠体に内ガラス板８５ｂを装着して側縁を内ガラスガイド８４７で支持すると共に、下縁を下横枠部８４４の傾斜面部の裏面側に延設したガラス支持片８４４ａで支える。
　【００５１】
　上記のような内ガラス枠８４を外ガラス枠８３に止着するには、内ガラス枠８４に設けた内枠ヒンジ８４６の係合ピン８４６ａを、外ガラス枠８３の外枠ヒンジ８１６の通孔８１６′に挿通して回動自在に支持させると共に、ロック部材８８を回動させて、内枠の受片８４８をロック部材８８の係合部８８１に係合させると共に、凸部８８２とロック用凹凸部８４８ａを互いに嵌合させてロック部材８８の回動を規制すれば、内枠体の前端が外ガラス板８５ａに密着すると共に両ガラス枠８３，８４が一体となる。
　【００５２】
　一方、上記ロック部材８８を回動させてロック状態を解除すれば、内枠体を、外ガラス枠８３から開放することができ、ガラス面の清掃時等に有益である。
　【００５３】
　前記したような外ガラス枠８３を、前面枠３、具体的にはフレーム材の上蝶番３５と、中フレーム材３１５のガラス枠兼上皿ヒンジ３９に開閉自在に軸着するには、上ヒンジ手段８６１の操作杆８６５を係止段部８６２ｃに係止させてスライドピン８６４の上端を後退さた状態に維持すると共に、下ヒンジ手段８７の操作杆８７４を第１係止段部８７１ｃに係止させてスライドピン８７３の下端を後退させた状態に維持し、この状態のガラス枠８を前面枠３に臨ませ、蝶着手段の軸孔に各スライドピン８６４，８７３が嵌入する位置で操作杆８６５，８７４の係止状態を解除すればよい。
　【００５４】
　尚、上記説明では、内ガラス枠８４を外ガラス枠８３に止着してから前面枠３に止着しているが、前面枠３に止着状態にある外ガラス枠８３に対して内ガラス枠８４を着脱することも可能である。
　【００５５】
　上記のように、ガラス枠８を内ガラス枠８４と外ガラス枠８３との二重構造とするときは、安全防犯上で有利であるばかりではなく、内ガラス枠８４と外ガラス枠８３との装飾図柄や色彩を変更し、或は装飾体８２を取り替えるなど、多様な意匠に対応することができ、更に各枠体及び装飾体８２の表面に凹凸模様を形成すること可能であって、装飾効果が著しく向上する。
　【００５６】
　ガラス枠８を施錠するロック装置９は、上下間隔をおいて設けられる２個のロック部材９１を連動杆９２により連結して連動するように構成してある。上下のロック部材９１は同一構成からなり、支持金具９３に植設した第１支軸９３１に回動自在に軸着するロック部材９１と、支持金具９３に植設した第２支軸９３２に回動自在に軸着する作動部材９４とを有し、更にガラス枠８に設けたロックピン８０を誘導するガイド部材９５を有している。上記支持金具９３はＬ字状の金属板からなり、前面枠３を構成する右縦フレーム材３１２に固定してある。
　【００５７】
　上記ロック部材９１は、自由端側の端縁にガラス枠８に設けたロックピン８０を受け入れる切欠状のピン係止部９１１を設けると共に、軸着部に近接させて係合凹部９１２を設け、この係合凹部９１２に隣接して弧状の滑合部９１３を設ける。
　【００５８】
　一方、作動部材９４は、上記ロック部材９１の解錠、施錠を制御するもので、当該ロック部材９１の係合凹部９１２に係合し、また弧状の滑合部９１３に滑合する係合ピン９４１を有している。そして、この作動部材９４の自由端部には連動杆９２が回動自在に軸着してあり、上下に配置したロック部材９１の作動部材９４同士を接続して連動させる。
　【００５９】
　また、上記ロック部材９１はバネ９６によってピン係止部９１１を前方へ突き出した解錠状態に付勢されており、作動部材９４は自由端側の係合ピン９４１をロック部材９１の端部に押し付け係合凹部９１２または滑合部９１３に押圧されている。尚、上記バネ９６はロック部材９１及び作動部材９４に夫々設けた係止部９１４，９４２の間に張設し、上記両部材９１，９４を同時に付勢している。
　【００６０】
　上記のような構成のロック装置９において、解錠状態にあるときは、図４１に示すように、ロック部材９１はバネ９６によって牽引されて、ピン係止部９１１を前方へ向けてロックピン８０を開放し、作動部材９４の係合ピン９４１を滑合部９１３に滑合させる。この状態で連動杆９２を上昇させて施錠しようとしても、係合ピン９４１がロック部材９１に当接するので、作動部材９４が回動することができず、施錠することはできない。
　【００６１】
　上記のような状態において、ガラス枠８を閉塞し、ロック部材９１に対応してガラス枠８に設けた上下のロックピン８０を同時にロック部材９１のピン係止部９１１に嵌入させ、更に押し付けるようにしてバネ９６に抗してロック部材９１を回動させると、滑合部９１３の移動により係合凹部９１２が係合ピン９４１に臨み、係合ピン９４１の係合が可能な状態になる。そして、作動部材９４は連動杆９２によって他方の作動部材９４と連絡されているから、他方の作動部材９４が回動可能な状態のときに係合ピン９４１が係合凹部９１２に係合して、ロック部材９１を施錠状態に拘束することになる。
　【００６２】
　ところで、二つのロックピン８０が均一に押圧されなかったりして、一方のロック部材９１のピン係止部９１１にのみロックピン８０が嵌入し、他方のロック部材９１のピン係止部９１１にはロックピン８０が嵌入しない場合には、嵌入しないロック部材９１側の作動部材９４の係合ピン９４１がロック部材９１の滑合部９１３に当接して作動部材９４が回動できない。従って、連動杆９２により連絡する他の作動部材９４も回動を拘束され、施錠することができない。
　【００６３】
　上記のようなロック装置９によれば、片側のロック部材９１のみを施錠することがないので、施錠が確実になり、ガラス枠８をこじ開けたり、隙間からピアノ線等を挿入して不正遊技を行うことを防止することができる。尚、このガラス枠８は連動杆９２の途中に設けた操作部９２１を押下することにより解錠できる。
　【００６４】
　上記のようなガラス枠８のロック装置９を施錠する施錠装置９０は、前面枠３を構成する右縦フレーム材３１２及び右飾枠体３２２内に位置するようにリヤプレート６に設けてある。この施錠装置９０は、鍵孔９０１を有するシリンダ錠９０２を中心に構成してあり、鍵を鍵孔９０１に挿入して所定の方向へ回動させると、上記したガラス枠８と前面枠３との施錠及び解錠を実行し、反対方向へ回動させると後述する前面枠３と外枠２との施錠及び解錠を実行するように構成してある。
　【００６５】
　前面枠３と外枠２との施錠及び解錠は、図４３に略示しするように、リヤプレート６側に、回動支軸９０３やロック部材９０４、或は連動杆９０５等を設け、これらの部材と外枠２側に摺動自在に設ける鍵受片２０とを係合させて、施錠及び解錠を行うようになっている。尚、前記したガラス枠８のロック装置９の連動杆９２も図示していない連絡機構によりシリンダ錠９０２と連結してある。
　【００６６】
　上記のような施錠装置９０を用いてガラス枠８を施錠するとき、ガラス枠８と飾り部材３２との間では、不正防止手段が機能する。即ち、図４４に示すように、軸着側においては、飾枠体８２１に設けた不正防止片８２１ｄと、ガラス枠８の一部を構成している飾り部材３２（左飾枠３２１）に曲折状に設けた不正防止リブ３２１ｆとが内側から係止している。一方、自由端側即ちロック側においては、右飾枠３２２の前端面に溝状に設けた不正防止用の嵌合溝３２２ｅに、ガラス枠８の装飾体８２２に設けた不正防止片８２３が嵌入している。従って、ガラス枠８と前面枠３を構成している飾り部材３２との間に隙間が生じることがなく、仮に、僅かな隙間が生じても、この隙間は途中で屈曲するので、針金等を挿入して不正遊技を働くことはできない。一方、ガラス枠８の上下の不正防止に関しても充分な対策がなされている。即ち、ガラス枠８の上縁部分においては、ユニット基板７４に設けた断面コ字状の不正防止凹溝７５に外枠体８１の上縁に形成した不正防止用係止片８１３ｃが嵌入し、下縁部分においては、上皿セット４の上皿セット取付板４２に形成した不正防止凹溝４２１に、外枠体８１の下縁に形成した外側傾斜面部８１４ｂが不正防止片として嵌入するので、針金等の挿入は不可能である。
　【００６７】
　更に、外枠２と前面枠３との間の不正防止手段は、図４３に示すように、軸着側においては、左飾枠３２１に設けた不正防止片３２１ｄが、外枠２を構成する左縦枠材２１の係止縁２１１に係止するので、針金等の挿入はできない。また、自由端側即ち施錠装置９０側においては、前面枠３を構成する右飾枠３２２及び右縦フレーム材３１２と外枠２を構成する右縦枠材２２とが当接すると共に、飾枠３２２内には施錠装置９０等が配設してあるので、異物を遊技盤１３まで到達させることは困難で不正遊技の虞れはない。しかも、上記当接面は皿状に形成するリヤプレート６の背面側に位置するので、このリヤプレート６の前面側に収設する遊技盤１３に針金等異物を到達させることは不可能である。また、前面枠３と外枠２との当接面では上縁及び下縁においても上記と同様に不正遊技を働くことはできない。
　【００６８】
　以上本発明を図面の実施例について説明したが、本発明は上記した実施例に限定されるものではなく、特許請求の範囲に記載した構成を変更しない限り適宜に実施できる。例えば、蝶着手段としてコ字状の支持金具にスライドピンを挿通したものを使用しているが他の構造の蝶着手段であってもよい。
　【００６９】
　【発明の効果】
　以上要するに本発明は、外枠に
対して、施錠装置を備える
上下横フレーム材と左縦フレーム材及び右縦フレーム材からなる
前記上横フレーム材の前面に設けた外部表示灯ユニットと、前記下皿部より上方の前記左縦フレーム材及び右縦フレーム材の前面を覆い意匠を部分的に変更するための
空間部を有する
右縦フレーム材に対応する
内には、前記施錠装置が位置する
【図面の簡単な説明】
　【図１】
　パチンコ機の概略正面図である。
　【図２】
　パチンコ機の背面図である。
　【図３】
　パチンコ機の左側面図である。
　【図４】
　パチンコ機の一部を外した正面図である。
　【図５】
　外枠の正面図である。
　【図６】
　外枠の平面図である。
　【図７】
　図６のＡ−Ａ線断面図である。
　【図８】
　外枠の左下結合部分の斜視図である。
　【図９】
　外枠の右上結合部分の斜視図である。
　【図１０】
　外枠の右下結合部分の斜視図である。
　【図１１】
　フレーム材の正面図である。
　【図１２】
　フレーム材の左側面図である。
　【図１３】
　フレーム材の右側面図である。
　【図１４】
　図１１のＡ−Ａ線断面図である。
　【図１５】
　フレーム材の底面図である。
　【図１６】
　図１１のＢ−Ｂ線断面図である。
　【図１７】
　外部表示灯ユニット部分の横断面図である。
　【図１８】
　フレーム材の左結合部分の正面図である。
　【図１９】
　フレーム材の左結合部分の側面図である。
　【図２０】
　外部表示灯ユニットの縦断面図である。
　【図２１】
　上皿ユニットの正面図である。
　【図２２】
　上皿ユニットの平面図である。
　【図２３】
　上皿ユニットの背面図である。
　【図２４】
　上皿ユニットの縦断面図である。
　【図２５】
　下皿ユニットの正面図である。
　【図２６】
　下皿ユニットの平面図である。
　【図２７】
　下皿ユニットの底面図である。
　【図２８】
　下皿ユニットの取付説明図である。
　【図２９】
　下皿ユニットの縦断面図である。
　【図３０】
　外ガラス枠の背面図である。
　【図３１】
　外ガラス枠の底面図である。
　【図３２】
　図３０のＢ−Ｂ線断面図である。
　【図３３】
　図３０のＡ−Ａ線断面図である。
　【図３４】
　内ガラス枠の背面図である。
　【図３５】
　図３４のＡ−Ａ線断面図である。
　【図３６】
　図３４のＢ−Ｂ線断面図である。
　【図３７】
　ガラス枠の背面図である。
　【図３８】
　ガラス枠の横断面図である。
　【図３９】
　各ユニットの蝶着部分の説明図である。
　【図４０】
　各ユニットの蝶着部分の断面説明図である。
　【図４１】
　ガラス枠を開放した状態のロック装置の説明図である。
　【図４２】
　ガラス枠を閉止した状態のロック装置の説明図である。
　【図４３】
　外枠と前面枠との不正防止手段の説明図である。
　【図４４】
　外枠とガラス枠との不正防止手段の説明図である。
　【符号の説明】
　　１　パチンコ機
　　２　外枠
　　３　前面枠
　　４　上皿セット
　　５　下皿セット
　　８　ガラス枠
　３１　フレーム材
　３２　飾り部材
　５６　ハンドルセット
　８５　ガラス板